(57)【要約】【課題】体型変化が衣類に及ぼす影響を緩和することのできるウエストサイズの調整具を提供する。【解決手段】衣類のウエスト部分を切り込んで形成した重なり部分（２，３）の片面（３）内側に配置したレール紐（６）と、前記レール紐（６）上をスライド可能であるとともに、特定の位置で係止可能なバックル（１１）と、前記バックル（１１）と前記重なり部分（２）の他方の面（２）を繋ぐ弾性体（２４）からなる二段調整具である。レール紐（６）を取り付ける面に対向して、重なり部分（２）の他方の面には補強紐（２１）を設けるのが好ましい。【選択図】  図２
2004183190.tif 000002
【特許請求の範囲】
【請求項１】
衣類のウエスト部分を切り込んで形成した重なり部分（２，３；２Ａ，３Ａ；２Ｂ，３Ｂ）の片面（３；３Ａ；３Ｂ）内側に配置したレール紐（６；６Ａ；６Ｂ）と、
前記レール紐（６；６Ａ；６Ｂ）上をスライド可能であるとともに、特定の位置で係止可能なバックル（１１；１１Ａ，１１Ｂ；１１Ｃ，１１Ｄ）と、
前記バックル（１１；１１Ａ，１１Ｂ；１１Ｃ，１１Ｄ）と前記重なり部分（２，３；２Ａ，３Ａ；２Ｂ，３Ｂ）の他方の面（２；２Ａ，２Ｂ）を繋ぐ弾性体（２４；２４Ａ；２４Ｂ）からなる
ことを特徴とするウエストサイズの二段調整具。
【請求項２】
レール紐（６；６Ａ；６Ｂ）面に複数の突起（８；８Ａ；８Ｂ）を設けてこの突起にバックルの爪（１６）が係合可能とした請求項１記載の二段調整具。
【請求項３】
前記バックル（１１；１１Ａ；１１Ｃ）と前記重なり部分（２，３；２Ａ，３Ａ；２Ｂ，３Ｂ）の他方の面（２；２Ａ，２Ｂ）を繋ぐ弾性体（２４；２４Ａ；２４Ｂ）がゴムバンドである請求項１記載の二段調整具。
【請求項４】
前記バックル（１１；１１Ａ；１１Ｃ）と前記重なり部分（２，３；２Ａ，３Ａ；２Ｂ，３Ｂ）の他方の面（２；２Ａ，２Ｂ）を繋ぐ弾性体（２４；２４Ａ；２４Ｂ）が二重である請求項１ないし３のいずれかに記載の二段調整具。
【請求項５】
前記バックルがレール紐側（１１Ｂ；１１Ｄ）と、弾性体側（１１Ａ，１１Ｃ）に分割して配置され、それぞれは互いに係合及び分離が可能である請求項１ないし４のいずれかに記載の二段調整具（５Ａ；５Ｂ）。
【請求項６】
レール紐（６；６Ａ；６Ｂ）を取り付ける面（３；３Ａ；３Ｂ）に対向して、重なり部分の他方の面（２；２Ａ；２Ｂ）には補強紐（２１；２１Ａ；２１Ｂ）を設けた請求項１ないし５のいずれかに記載の二段調整具。
【請求項７】
衣類のウエスト部分を切り込んで形成した重なり部分（２，３；２Ａ，３Ａ；２Ｂ，３Ｂ）の片面（３；３Ａ；３Ｂ）内側に配置したレール紐（６；６Ａ；６Ｂ）と、
前記レール紐（６；６Ａ；６Ｂ）上をスライド可能で、特定の位置で係止可能であると共に、前記重なり部分（２，３；２Ａ，３Ａ；２Ｂ，３Ｂ）の他方の面（２；２Ａ；２Ｂ）に繋がれているバックル（１１；１１Ａ，１１Ｂ；１１Ｃ，１１Ｄ）と、
前記重なり部分（２，３；２Ａ，３Ａ；２Ｂ，３Ｂ）の相対的な位置の自動調節が可能な弾性体（２４；２４Ａ；２４Ｂ）からなる
ことを特徴とするウエストサイズの二段調整具。
【請求項８】
衣類のウエスト部分を切り込んで形成した重なり部分（２Ｃ，３Ｃ）の片面（３Ｃ）内側に配置した少なくとも１つのバー又はアイ（４０Ｃ）と、
前記バー又はアイ（４０Ｃ）と係止可能なバックル（１１Ｅ）と、
前記バックル（１１Ｅ）と前記重なり部分（２Ｃ，３Ｃ）の他方の面（２Ｃ）を繋ぐ弾性体（２４Ｃ）と、
前記他方の面（２Ｃ）に取り付けられ、前記バックル（１１Ｅ）がスライド可能な補強紐（２１Ｃ）からなる
ことを特徴とするウエストサイズの二段調整具。
【発明の詳細な説明】
【０００１】
【産業上の利用分野】
本発明は、長期的及び短期的な体型変化がズボンやスカート等の衣類に及ぼす影響を緩和するウエストサイズの調整具に関する。
【０００２】
【従来の技術】
長期間にわたる体型変化だけでなく、屈伸運動の最中や食事の前後でウエストサイズは微妙に変化する。鉤ホックと受止め具が調整不能のとき、胴回りには締まり過ぎまたは弛み過ぎとして現れ、不快感を与える。これを避けるため、ズボンやスカートでは、腰回りに弾力性を付与する目的で、ゴム等の弾性体を組み込んだり、スプリングを内蔵して伸縮させ、調整機能を付与した鉤ホックを使用することがある。
【０００３】
スプリングを内蔵した鉤ホックの先行技術として、例えば下記特許文献１，２がある。両先願に示されるは鉤ホックは、構成材の鉤ホック主体と鉤ホック基体とが圧縮スプリングを介して接続され、鉤ホック主体が鉤ホック基体上を圧縮スプリングの力でスライドするため、微調整が可能である。
【０００４】
別の従来技術として、例えば下記特許文献３がある。これによると、衣服のポケットを上端まで切開して、重複する外側腰回り部と内側腰回り部を形成し、外側腰回り部の外面に突条を有するレールと、このレールが挿通され突条と係止するように外側腰回り部に付設されたスライダーとを設けている。
【０００５】
【特許文献１】特開２０００−５０９１３号
【特許文献２】特開２００１−８７０１０号
【特許文献３】実公平６−１３２１１号
【０００６】
【発明が解決しようとする課題】
特開２００１−８７０１０号（特許文献１）と特開２００１−８７０１０号（特許文献２）では、鉤ホックは通常衣類の開閉部分１箇所のみに装着するため、どうしてもウエストサイズの調整範囲が小さくなりがちである。
【０００７】
実公平６−１３２１１号（特許文献３）では、左右２箇所のポケット部に調整部を設けることができるため、前者に比べて調整範囲を広くとることができ、長期間にわたる体型変化に十分対応できる。しかし、調整方法は着用者による意識的な調整に限られるため、微調整を行うのは困難である。
【０００８】
本発明は、ウエストサイズの調整範囲をできるだけ大きくとることにより長期間にわたる体型変化に対応できるだけでなく、微調整も自動的に行うことにより短時間の変化にも対応可能なウエストサイズの調整具を提供することを目的とする。
【０００９】
【課題を解決するための手段】
本発明は、衣類のウエスト部分を切り込んで形成した重なり部分の片面内側に配置したレール紐と、前記レール紐上をスライド可能であるとともに、特定の位置で係止可能なバックルと、前記バックルと前記重なり部分の他方の面を繋ぐ弾性体からなることを特徴とするウエストサイズの二段調整具である。
【００１０】
本発明はまた、衣類のウエスト部分を切り込んで形成した重なり部分の片面内側に配置した少なくとも１つのバー又はアイと、前記バー又はアイと係止可能なバックルと、前記バックルと前記重なり部分の他方の面を繋ぐ弾性体と、前記他方の面に取り付けられ、前記バックルがスライド可能な補強紐からなることを特徴とするウエストサイズの二段調整具である。
【００１１】
【発明の実施の形態】
本発明は、ズボンやスカート等に使用する大調整部分と微調整部分からなるウエストサイズの二段調整具であって、開閉部とは別に一部を切り込み形成した重なり部分に装着する。重なり部分は通常、左右両側部に設けるとバランスがよく、調整範囲を拡げるが、一方でも効果がある。
【００１２】
バックルをレール紐上の特定の位置で係止するためには、レール紐に複数の突起を設けておき、この突起とバックルの爪を係合させるのが好ましい。突起は棒状が好ましい。ベルト長さと突起数はサイズにより、１０±５ｃｍと１０〜３０個の各範囲から選択して組合せることができる。バックルの爪と係合可能であれば、突起の代わりに、レール紐を貫通する孔でもよい。
【００１３】
前記バックルをレール紐側と、弾性体側に分割して配置することもできる。そしてそれぞれはフックアンドバーなどにより、互いに係合及び分離が可能なものとすることもできる。そのようにすることにより、製造が容易となる利点がある。
【００１４】
前記バックルと前記重なり部分を繋ぐ弾性体は、ゴムバンドが適当であるが、そのほか、バネやゴム紐など、弾力性を有する紐状のものであればどのようなものでもよい。弾性体は一重でもよいが、二重にするのが好ましい。二重にするにはバックルの孔に通してそこから折り返し、重なり部分と繋ぐのが好ましい。
【００１５】
別の実施態様では、前記弾性体を前記バックルと前記重なり部分の一方とを繋ぐものとせず、レール紐の一部に組み込んでもよい。例えばレール紐の末端の約１〜３センチメートルを弾性体に置き換えるのである。そのようにすることにより、レール紐自体が弾性体の役目も兼務する。その場合は、バックルは前記重なり部分の他方に固定させる必要がある。
【００１６】
両調整部分を構成する部材の内、突起付きレール紐は目立つので、表面を衣類と同生地で覆うとよい。突起付きレール紐とバックルの接触面は、摩擦もしくは押さえ部材の爪で傷むので、可撓性が有り耐磨耗性と耐久性を備える材料の使用が望ましい。
【００１７】
レール紐を取り付ける面に対向して、重なり部分の他方の面には補強紐を設けるのが好ましい。この補強紐は衣服の重なり部分がたわむのを防止する役目を果たす。
【００１８】
別の実施態様では、レール紐を取り払い、フックアンドバーにおけるバー又はフックアンドアイにおけるアイで置き換えることもできる。このようにすることにより、全体を薄く形成することができる。
【００１９】
【作用】
本発明のウエストサイズの二段調整具は、大調整を人手で、微調整を弾性体が行い、両調整部分が相互に補完するように働く。
【００２０】
【実施例】
＜実施例１＞
図１は腰回りの一部を切り込んで重なり部分を形成したスカートの側面図である。図２は、図１のスカートの重なり部分を矢印方向に引き離したウエストサイズの二段調整具の斜視図である。図３（Ａ，Ｂ，Ｃ）は取付け前の二段調整具上面図と同図（Ｂ）の矢印方向の側面図である。図４は分解した構成材の斜視図である。図５（Ａ，Ｂ，Ｃ，Ｄ）はバックルの４つの実施例を示す斜視図である。
【００２１】
図１のように、スカート１の重なり部分２と３の対向する面に、ウエストサイズの二段調整具５を取付ける。二段調整具５はレール紐６の一部が外側から見える程度で、その他の部分は重なり部分２に隠れる。図２では、図１の重なり部分２と３の間を意図的に拡げて、二段調整具の構成材の状態を示した。図３（Ａ，Ｂ，Ｃ）と図４では衣類に取付け前の二段調整具を示した。
【００２２】
スカート１の腰回りに作られた重なり部分３の対向面に、レール紐６を渡し両端１０をスカート上端に糸で縫いつけて固定する。レール紐６は内面に棒状の突起８を多数形成したレール紐本体７と、スカートと同材料の被覆材９からなる。レール紐の固定に先立ちバックル１１［図５（Ａ）参照］をレール紐６に通し、前記バックルに設けた押さえ部材１４の爪１６をレール紐面の突起８に当接させて位置決めする。図３に示すように、レール紐６は、突起８を外方に向けた状態でバックル本体１２の中を貫通している。
【００２３】
図２−４に示すように、バックル本体１２は、爪１６を有する押さえ部材１４と、側部１７と、底部１８を有する。押さえ部材１４と側部１７はピン１５を中心として回動自在である。長さ調整をするときには、押さえ部材１４を回動させ、その爪１６で突起間を押さえて、レール紐６に位置決めする。これによりウエストサイズの大調整が可能となる。
【００２４】
この調整は手で操作するので、調整の容易さを失わない範囲で、突起数を増やしたり、間隔を狭くしたりして細かい調整ができる。図示実施例の突起数は２３個である。レール紐６は、布地、プラスチック、金属、等により成形することができる。
【００２５】
バックル１１の底部１８には長孔１８ａ，１８ｂが２個形成されており（図４参照）、この長孔を通して補強紐２１が取り付けられている。補強紐２１の両端２２は重なり部分２の対向面に糸で縫いつけられて固定されている（図１参照）。補強紐２１は重なり部分２のたわみを防止する役目も果たす。しかし、バックル１１は補強紐２１がなくてもレール紐６だけでも機能する。
【００２６】
バックル１１の長孔１８ａを貫通する形でゴムバンド２４がバックル１１に取り付けられている。ゴムバンド２４は、長孔１８ａを貫通し、中央部２４ａ（図４）において折り返され、その両端は、補強紐２１の両端２２とほぼ同じ箇所で重なり部分２の対向面に糸で縫いつけられて固定されている。ゴムバンド２４は、適度な初期張力をもたらすように設定されるので、ウエストサイズが弛むときにはガイド上のバックルを引っ張り動かす。これによりウエストサイズの自動的な微調整が可能となる。
【００２７】
以上をまとめると、本発明の二段調整具５を使用して大調整するには、スカート着用者のウエストサイズに合わせて、バックル１１の押さえ部材１４の位置を、指を使って突起８単位で変更する。この調整で難しいスカート着用後のウエストサイズの微妙な調整はゴムバンド２４の弾力により自動的に行う。
【００２８】
＜実施例２−４＞
図５Ａ−Ｄはバックルの４つの実施例である。図５Ａについては図２〜４に使用したとおりである。図５Ｂ−Ｄの実施例では、図５Ａの実施例と異なり、ゴムバンド２４は二重ではなく、一重のものがバックル１１と重なり部分２の間をつないでいる。
【００２９】
図５Ｂ（実施例２）では、爪２５付き押さえ部材１７Ｂを矢印方向に動かして、爪２５でゴムバンド２４（仮想線）をバックル本体１２に固定している。図５Ｃ（実施例３），図５Ｄ（実施例４）では、ゴムバンド２４を、バックル本体１２の一部を延長した上下爪２６または２７とバックル本体１２間で挟み、矢印方向にかしめて固定している。
【００３０】
＜実施例５＞
実施例１−４では、バックル１１がレール紐６・補強紐２１・ゴムバンド２４を１箇所に束ねる役割を果たしている。その製造過程ではバックルの長孔１８ａ，１８ｂや本体１２にレール紐６や補強紐２１、ゴムバンド２４を通した後で（図２、４参照）、それらの紐の両端１０，２２を衣服の重なり部分２，３に縫いつけている。このような作業は機械化ができず、製造コストを上昇させていた。そこで、実施例５ではバックルをレール紐側と補強紐側に分割して配置し、使用時に結合可能なものとした。
【００３１】
図６は、実施例５における使用時のスカート１Ａの側面斜視図である。スカートの重なり部分２Ａ，３Ａの対向する面に、ウエストサイズの二段調整具５Ａが取付けられている。重なり部分３Ａ側のレール紐６Ａは実施例１−４とほぼ同一である。また、重なり部分２Ａ側の補強紐２１Ａ及びゴムバンド２４Ａも実施例１−４とほぼ同一である。なお、スカートの重なり部分２Ａ，３Ａの縦方向の隙間はスライドファスナー５０やボタンで覆って不用意に開かないようにすることが好ましい。
【００３２】
実施例５が実施例１−４と異なるのは、前記したとおりバックル１１Ａ，１１Ｂがレール紐６Ａ側と補強紐２１Ａ側に分割して配置され、使用時に連結されることである（図６，図９（ａ）（ｂ）参照）。
【００３３】
重なり部分２Ａ側のバックル要素１１Ａは、図７に示すように、１枚の薄い金属板を加工したものである。主な構成要素は、重なり部分３Ａ側のバックル要素１１Ｂと繋ぐためのフック３０と、補強紐２１Ａとの接続部と、ゴムバンド２４Ａとの接続部である。
【００３４】
フック３０は金属板の先端側の一部をＵ字型に折り返してなる。フック３０における係合を確かなものとするために金属板を切り抜いて形成した押しバネ３１がフック溝方向に向かって隆起している。フック３０と反対側には延長部３２が設けられていて、補強紐２１Ａの案内板となる。
【００３５】
補強紐２１Ａとの接続部は、金属板の両側部３３を折り曲げて形成した通路３４からなる。補強紐２１Ａは通路３４の中に収容され、バックル１１Ａは補強紐２１Ａに沿ってスライド可能である。
【００３６】
ゴムバンド２４Ａとの接続部は、金属板中のスロット３５からなる。ゴムバンド２４Ａはスロット３５を貫通して折り返され、その両端は、補強紐２１Ａの両端２２Ａとほぼ同じ箇所で重なり部分２Ａに糸で縫いつけられて固定されている。１枚の金属板からスロット３５を形成するために、隆起部３６が形成されている。
【００３７】
重なり部分３Ａ側のバックル要素１１Ｂは、図８に示すように、２枚の薄い金属板を組み合わせて加工したものである。主な構成要素は、重なり部分２Ａ側のバックル要素と繋ぐためのバー４０と、特定の位置でバックル要素１１Ｂとレール紐６Ａを選択的に固定するための選択固定部からなる。
【００３８】
バー４０は、１枚の金属板にスロット４１と隆起部４２を設けて形成したものである。
【００３９】
選択固定部は、一方の金属板に設けた、爪４３を有する押さえ部材４４と、他方の金属板に設けた、側部４５と基部４６からなる。押さえ部材４４は、基部４６に対して後端のピン４７を中心として回動自在である。長さ調整をするときには、押さえ部材４４を回動させ、その爪４３で突起８Ａ間を押さえて、適宜位置でレール紐６Ａに位置決めする。
【００４０】
完成時の重なり部分２Ａと３Ａのバックル要素１１Ａ，１１Ｂの側面図を図９（ａ）に示す。使用時には、図９（ｂ）に示すように、２つのバックル要素を結合させる。この結合状態では単一のバックルと同じことになり、実施例１−４のバックルと全く同じ機能を有する。
＜実施例６＞
【００４１】
図１０は、実施例６における使用時のスカート１Ｂの側面斜視図である。スカートの重なり部分２Ｂ，３Ｂの対向する面に、ウエストサイズの二段調整具５Ｂが取付けられている。なお、スカートの重なり部分２Ｂ，３Ｂの縦方向の隙間はスライドファスナー５０Ｂやボタンで覆って不用意に開かないようにすることが好ましい。
【００４２】
実施例６は、実施例５と同様に、バックル１１Ｃ，１１Ｄがレール紐６Ｂ側と補強紐２１Ｂ側に分割して配置され、使用時に連結される（図１０，図１２（ａ）（ｂ）参照）。
【００４３】
重なり部分３Ｂ側のレール紐６Ｂは実施例１−５とほぼ同一である。しかし、重なり部分２Ｂ側の補強紐２１Ｂ及びゴムバンド２４Ｂは、実施例１−５とは内外の配置が逆である。すなわち、実施例１−５では、ゴムバンドは補強紐の内側であったのに対して、実施例６では、図１２（ａ）（ｂ）に示すように、ゴムバンド２４Ｂは重なり部分２Ｂと補強紐２１Ｂとの間に位置する。バックル要素１１Ｃで折り返して端部２２Ｂで留められる点は同じである。
【００４４】
重なり部分２Ｂ側のバックル要素１１Ｃは、図１１に示すように、１枚の薄い金属板を加工したものである。実施例５のバックル要素１１Ａ（図７）と似ている。主な構成要素は、重なり部分３Ｂ側のバックル要素１１Ｄと繋ぐためのフック３０Ｂと、補強紐２１Ｂとの接続部と、ゴムバンド２４Ｂとの接続部である。
【００４５】
フック３０Ｂは金属板の先端側の一部をＵ字型に折り返してなる。フック３０Ｂにおける係合を確かなものとするために金属板を切り抜いて形成した押しバネ３１Ｂがフック溝方向に向かって隆起している。フック３０Ｂと反対側には延長部３２Ｂが設けられて、補強紐２１Ｂの案内板となる。
【００４６】
補強紐２１Ｂとの接続部は、金属板の両側部３３Ｂを折り曲げて形成した通路３４Ｂからなる。補強紐２１Ｂは通路３４Ｂの中に収容され、バックル１１Ｃは補強紐２１Ｂに沿ってスライド可能である。実施例５（図７）と比較すると、実施例６では、両側部３３Ｂ同士が接触して、通路３４Ｂを完全な四角筒状態となっている点が異なる。このようにすることにより、補強紐２１Ｂが通路から抜け落ちるのを完全に防止することができる。また、実施例５（図７）と比較すると、実施例６では、隆起部３６に相当する突起がなくなったので、フック３０Ｂの開口周辺には障害物がなくなっている。そのため、フック３０Ｂとバックル要素１１Ｄとの係合が容易になった。
【００４７】
ゴムバンド２４Ｂとの接続部は、金属板中のスロット３５Ｂからなる。ゴムバンド２４Ｂはスロット３５Ｂを貫通して折り返され、その両端は、補強紐２１Ｂの両端２２Ｂとほぼ同じ箇所で重なり部分２Ｂに糸で縫いつけられて固定される。
【００４８】
重なり部分３Ｂ側のバックル要素１１Ｄは、実施例５（図８（ａ）（ｂ）（ｃ））と全く同じであるので、これらの部品図とその説明を省略する。図１０及び図１２では、バックル要素１１Ｄは、実施例５の符号におけるＡをＢに変えて、そのまま使用している。
【００４９】
完成時の重なり部分２Ｂと３Ｂのバックル要素１１Ｃ，１１Ｄの側面図を図１２（ａ）に示す。使用時には、図１２（ｂ）に示すように、２つのバックル要素を結合させる。この結合状態では単一のバックルと同じことになり、実施例１−４のバックルと全く同じ機能を有する。
【００５０】
＜実施例７＞
図１３は、実施例７における使用時のスカート１Ｃの側面斜視図である。スカートの重なり部分２Ｃ，３Ｃの対向する面に、ウエストサイズの二段調整具５Ｃが取付けられている。なお、スカートの重なり部分２Ｃ，３Ｃの縦方向の隙間はスライドファスナー５０Ｃやボタンで覆って不用意に開かないようにすることが好ましい。
【００５１】
実施例７では、実施例６と同様に、分割されたバックル要素の半分１１Ｅを使用する。しかし、実施例１−６と異なり、レール紐やバックル要素の残り半分を使用しない。単に重なり部分３Ｃにバー４０Ｃが設けられ、このバー４０Ｃにバックル要素１１Ｅのフック３０Ｃが係合又は離脱するだけである（図１４（ａ）（ｂ）参照）。
【００５２】
バックル要素１１Ｅは実施例６と同じである。符号は実施例６の符号におけるＢをＣに変えて、そのまま使用している。バー４０Ｃは、周知のフックアンドバーにおけるバー又はフックアンドアイにおけるアイと同じである。バー４０Ｃは複数設けておき（図１４（ａ）（ｂ）参照）、ここで人為的に適当なものを選択することにより、第１段階の大調整を行う。第２段階の微調整はゴムバンド２４Ｃが自動的に行う。
【００５３】
【発明の効果】
二段調整具は腰回りに二組（通常、左右側部）配置するので、従来技術欄で紹介した鉤ホックに比べサイズ調整能力を格段に向上した。肥満等で起る長期的体型変化を大調整部分が負担し、屈伸運動中や食事の前後で起こる短期的体型変化を微調整部分が負担する。従って、本発明の二段調整具付き衣類は、購入前後でのサイズの選択と対応の幅を拡げるだけでなく、着用時の快適さを一段と向上させる。
【００５４】
本発明のウエストサイズの二段調整具から得られる効果をまとめると次のようである。
【００５５】
（１）二段調整具を腰回りに二個使用したズボンやスカートは、一サイズがカバーする範囲を著しく拡大した。
（２）二段調整具の大部分は合わせ部内に隠れ、大きな調整能力にも関わらず外観を損なうことが殆どない。
（３）大きな調整能力にも関わらず軽く嵩張らないので、使用時に不快感を伴うことがない。
（４）二段調整具付きのズボンやスカートを着用した後、微調整の効き具合がよくない時、着用したままで大調整を簡単に再実施できる。
（５）実施例５によると、バックルをレール紐側と補強紐側に分割して配置し、使用時に結合可能なものとしたので、実施例１−４に比べると部品数は増えるが製造自体は容易となる。
（６）実施例７では、レール紐を使用しないし、バックル要素は半分しか使用しないので、実施例１−６に比べて部品数が少なくて済み、しかも全体を薄く形成できるので、ウエスト部に違和感を与えることが少ない。
【図面の簡単な説明】
【図１】実施例１の腰回りの一部を切り込み重なり部分を形成したスカートの側面図である。
【図２】図１のスカートの重ね部分を矢印方向に引き離したウエストサイズの二段調整具の上方からの斜視図である。
【図３】（Ａ，Ｂ，Ｃ）は止め具だけの上面図と（Ｂ）の矢印方向の側面図である。
【図４】分解した構成材の斜視図である。
【図５】（Ａ，Ｂ，Ｃ，Ｄ）はバックルの実施例１−４を示す斜視図である。
【図６】実施例５における使用時のスカートの側面斜視図である。
【図７】重なり部分２側のバックル要素で、（ａ）は正面図、（ｂ）は平面図、（ｃ）は側面図である。
【図８】重なり部分３側のバックル要素で、（ａ）は正面図、（ｂ）は平面図、（ｃ）は側面図である。
【図９】実施例５におけるウエストサイズの二段調整具の使用状態を示す側面図で、（ａ）は未係合時、（ｂ）は係合時である。
【図１０】実施例６における使用時のスカートの側面斜視図である。
【図１１】実施例６における重なり部分２側のバックル要素で、（ａ）は正面図、（ｂ）は平面図、（ｃ）は側面図である。
【図１２】実施例６におけるウエストサイズの二段調整具の使用状態を示す側面図で、（ａ）は未係合時、（ｂ）は係合時である。
【図１３】実施例７における使用時のスカートの側面斜視図である。
【図１４】実施例７におけるウエストサイズの二段調整具の使用状態を示す側面図で、（ａ）は未係合時、（ｂ）は係合時である。
【符号の説明】
１，１Ａ    スカート
２，３；２Ａ，３Ａ；２Ｂ，３Ｂ；３Ａ，３Ｂ  重なり部分
５，５Ａ，５Ｂ，５Ｃ  二段調整具
６，６Ａ，６Ｂ  レール紐
８，８Ａ，８Ｂ  突起
１１；１１Ａ，１１Ｂ；１１Ｃ，１１Ｄ；１１Ｅ  バックル
１４  押さえ部材
２１，２１Ａ，２１Ｂ，２１Ｃ  補強紐
２４，２４Ａ，２４Ｂ，２４Ｃ  弾性体（ゴムバンド等）
３０，３０Ｂ，３０Ｃ  フック
４０，４０Ｃ    バー
【図１】
2004183190.tif 000003
【図２】
2004183190.tif 000004
【図３】
2004183190.tif 000005
【図４】
2004183190.tif 000006
【図５】
2004183190.tif 000007
【図６】
2004183190.tif 000008
【図７】
2004183190.tif 000009
【図８】
2004183190.tif 000010
【図９】
2004183190.tif 000011
【図１０】
2004183190.tif 000012
【図１１】
2004183190.tif 000013
【図１２】
2004183190.tif 000014
【図１３】
2004183190.tif 000015
【図１４】
2004183190.tif 000016